(57)【要約】【課題】ラインセンサの耐用寿命などに影響を及ぼすことなく効率よく読み取り対象物のサイズ検知を行うことができる画像読取装置を提供する。【解決手段】原稿読取装置１００は、プラテンガラス（１０３）に載置された原稿のサイズを検知する機能を有する。原稿読取装置１００は、開閉自在に配備され、閉状態において前記原稿台に載置された原稿を押える圧板１０９、圧板１０９の開閉それぞれの状態を検知する圧板開閉センサ１１０、１１１を有する。また、圧板１０９に向けて照射された光の反射光を受光するラインセンサ（１０７）、スキャナコントローラ（２００）を有する。スキャナコントローラ（２００）は、ラインセンサからの出力結果に応じて原稿のサイズを判定するとともに、このラインセンサへの給電を開始してから所定の時間以上圧板の開状態が維持された場合、ラインセンサへの給電を停止する。【選択図】図２
2016019262.tif 000002
【特許請求の範囲】
【請求項１】
原稿台に載置された原稿のサイズを検知する機能を有する画像読取装置であって、
前記画像読取装置に対して開閉自在に配備され、閉状態において前記原稿台に載置された原稿を押える圧板と、
前記圧板の開閉それぞれの状態を検知する開閉検知手段と、
前記圧板に向けて照射された光の反射光を受光するラインセンサと、
前記ラインセンサからの出力結果に応じて前記原稿のサイズを判定するとともに、当該ラインセンサへの給電を開始してから所定の時間以上、前記圧板の開状態が維持された場合、当該ラインセンサへの給電を停止するように制御する制御手段と、を有することを特徴とする、
画像読取装置。
【請求項２】
前記原稿台に原稿が載置されたか否かを検知する原稿検知手段をさらに有し、
前記制御手段は、前記ラインセンサへの給電を停止した後に前記センサの検知結果が変化した場合、再び当該ラインセンサへの給電を開始するように制御することを特徴とする、
請求項１に記載の画像読取装置。
【請求項３】
前記開閉検知手段は、開閉される前記圧板が第１の角度に傾いたことを検知する第１のセンサと、この第１の角度よりも小さい角度である第２の角度に傾いたことを検知する第２のセンサを含み、当該第１及び第２のセンサの検知結果に基づき当該圧板が閉じかけの状態であることを検知し、
前記制御手段は、前記圧板が閉じかけの状態であると検知された場合、前記ラインセンサへの給電を開始することを特徴とする、
請求項１又は２に記載の画像読取装置。
【請求項４】
前記制御手段は、前記圧板が前記第２の角度に傾いたことを前記第２のセンサが検知した場合、前記光の照射が開始されるように制御することを特徴とする、
請求項３に記載の画像読取装置。
【請求項５】
前記制御手段は、前記圧板が閉じかけの状態であると検知された場合、前記原稿検知手段による検知を開始するように制御することを特徴とする、
請求項３又は４に記載の画像読取装置。
【請求項６】
前記ラインセンサは、受光に応じて白又は黒の画像出力を行い、
前記制御手段は、前記圧板の閉じ動作に伴い前記画像出力が変化した領域以外の領域を前記原稿のサイズとすることを特徴とする、
請求項１乃至５に記載の画像読取装置。
【請求項７】
前記ラインセンサは、前記原稿台に載置された原稿の主走査方向のサイズを検知することを特徴とする、
請求項１乃至６に記載の画像読取装置。
【請求項８】
前記制御手段は、前記圧板に向けて光を照射せず、且つ、前記主走査方向の全領域において画像出力が白である場合、前記原稿台に原稿が載置されていないと判定することを特徴とする、
請求項７に記載の画像読取装置。
【請求項９】
前記制御手段は、前記圧板に向けて光を照射せず、且つ、前記主走査方向の一部の領域において画像出力が白である場合、当該一部の領域以外の領域を前記原稿のサイズとすることを特徴とする、
請求項７に記載の画像読取装置。
【発明の詳細な説明】
【技術分野】
【０００１】
本発明は、読取ガラス上で原稿を押さえる圧板、又は原稿自動給送装置（Auto document feeder：以下ＡＤＦと称す）の開閉状態に応じてガラス上の原稿サイズ検知の制御する技術に関する。
【背景技術】
【０００２】
画像読取装置の原稿台にセットされた読み取り対象物（例えば、原稿）のサイズを検出する方法として、主走査方向においては読取素子、副走査方向においては反射型センサを用いる方式が広く知られている。このような画像読取装置では、原稿を押さえるための圧板が開かれたか、あるいは閉じられたかなどを検知するためのセンサ（例えば、開閉センサ）を有する。
【０００３】
例えば、特許文献１に開示された原稿サイズ検知装置では、圧板が開かれ一旦「開」状態になった後、閉じられ始めた時点で主走査方向・副走査方向それぞれにおいて各出力の初期サンプリングを実行する。さらに、圧板が完全に閉じられるまでの間の所定のタイミングにおいてサンプリングを実行する。
主走査方向におけるサイズ判定では、初期サンプリングの値と、その後のサンプリングの値とを比較する。比較の結果、所定値以上の差分が生じた読取素子の位置（ポイント）を「原稿なし」、差分が生じなかったポイントを最初から「原稿あり」と判別し、原稿あり部分の領域を特定する。また、副走査方向におけるサイズ判定では、反射型センサの出力結果に基づき原稿の有無を検出してサイズ判定を行う。
【０００４】
また、特許文献２に開示された画像形成装置では、原稿サイズ検知の開始タイミングを計るための部材として圧板下部にフラグ部材を設けている。圧板またはＡＤＦの開閉動作に伴い、フラグ部材が所定の閉じ角度でフォトインタラプタを遮るタイミングで原稿サイズ検知処理が開始されるように構成されている。
【先行技術文献】
【特許文献】
【０００５】
【特許文献１】特開２００４−２５８３８６号公報
【特許文献２】特開平１１−１３３５２３号公報
【発明の概要】
【発明が解決しようとする課題】
【０００６】
特許文献１、２に開示された装置は、主走査方向におけるサイズ検知は読取素子、例えばＣＭＯＳラインセンサ等のラインセンサが用いられている。この場合、ラインセンサの通電を開始して設定を行い、その後読取可能な状態になるまでには、通常数十［ｍｓｅｃ］程度の時間が必要になる。この間に圧板の開閉角度が変化し、初期サンプリングの値が変化することがある。
【０００７】
ここで、図９を用いて初期サンプリングの値の変化について説明する。図９（ａ）は、一旦開いた圧板を閉じ始めた直後の状態を示す図であり、図９（ｂ）は、その後ラインセンサがＯＮ（給電開始）され、サンプリングが実行可能な状態（読取可能な状態）を示す図である。また、図９（ａ）に示す状態から、図９（ｂ）に示す状態になるまでの間に閉じ動作が進み、圧板の開閉角度が変化していることが見て取れる。
図９（ａ）に示す状態でサンプリングを実行した場合、例えば図中Ｄの位置においては圧板の裏側を読み取ることができず、その結果図中Ｄの部分は「原稿なし」と判定される。これに対し、図９（ｂ）に示す状態でサンプリングを実行した場合、例えば図中Ｄの位置においても圧板の裏側からの反射光が読み取れてしまう。その結果、原稿が無いにも関わらず、図中Ｄの部分を「原稿あり」と誤検知してしまう、という問題がある。
【０００８】
この問題を解消するために、例えば圧板を開いたタイミングでラインセンサをＯＮし、圧板を閉じ始めると同時にサンプリングを開始して、初期サンプリングにおける誤差の低減を図るとする。この場合、例えばユーザが圧板を開いた状態で放置したときにはラインセンサが通電したままの状態となり、その結果センサの耐用寿命が短くなってしまったり、無駄な電力を消費してしまったりするなどの課題が残る。
【０００９】
本発明は、ラインセンサの耐用寿命などに影響を及ぼすことなく効率よく読み取り対象物のサイズ検知を行うことができる画像読取装置を提供することを、主たる課題とする。
【課題を解決するための手段】
【００１０】
本発明の画像読取装置は、原稿台に載置された原稿のサイズを検知する機能を有する画像読取装置であって、前記画像読取装置に対して開閉自在に配備され、閉状態において前記原稿台に載置された原稿を押える圧板と、前記圧板の開閉それぞれの状態を検知する開閉検知手段と、前記圧板に向けて照射された光の反射光を受光するラインセンサと、前記ラインセンサからの出力結果に応じて前記原稿のサイズを判定するとともに、当該ラインセンサへの給電を開始してから所定の時間以上前記圧板の開状態が維持された場合、当該ラインセンサへの給電を停止するように制御する制御手段と、を有することを特徴とする。
【発明の効果】
【００１１】
本発明によれば、ラインセンサの耐用寿命などに影響を及ぼすことなく効率よく読み取り対象物のサイズ検知を行うことができる。
【図面の簡単な説明】
【００１２】
【図１】（ａ）、（ｂ）、（ｃ）は、本実施形態に係る原稿読取装置の構成の一例を示す概略縦断面図。
【図２】（ａ）、（ｂ）、（ｃ）、（ｄ）は、圧板開閉センサを説明するための図。
【図３】圧板開閉センサによる検知結果と圧板の開閉状態との関係を示す表。
【図４】画像読取装置を制御するスキャナコントローラの機能ブロック図。
【図５】（ａ）、（ｂ）は、原稿サイズを判定するための検知ポイントを説明するための図。
【図６】圧板の状態変化をトリガとするサイズ検知準備動作の処理手順の一例を示すフローチャート。
【図７】圧板の状態変化をトリガとするサイズ検知動作の処理手順の一例を示すフローチャート。
【図８】（ａ）、（ｂ）は、外光検知を説明するための図。
【図９】（ａ）、（ｂ）は、初期サンプリングの値の変化について説明するための図。
【発明を実施するための形態】
【００１３】
以下、図面を参照しながら実施形態を説明する。なお、本実施形態においては、スキャナなどの画像読取装置の一種である原稿読取装置に本発明を適用した場合を例に挙げて説明する。
【００１４】
図１は、本実施形態に係る原稿読取装置の構成の一例を示す概略縦断面図である。図１（ａ）は、原稿読取装置１００を正面手前から見た場合の図であり、図１（ｂ）は、左側から見た場合の図である。図１（ｃ）は、後述するスキャナユニット１０１が原稿の読み取り開始位置（サイズ検知位置）まで移動し、その後読み取りが開始されたときの状態を示す図である。
原稿読取装置１００は、ランプ１０２を含むスキャナユニット１０１、原稿台であるプラテンガラス１０３、折り返しミラー１０４、１０５、レンズ１０６、画像を信号に変換するラインセンサ１０７を含んで構成される。原稿読取装置１００は、また、プラテンガラス１０３上の原稿の有無を検知する反射型センサ１０８（原稿検知手段）を有する。また、原稿読取装置１００に対して開閉自在に配備され、プラテンガラス１０３上に載置された原稿を押さえる圧板１０９、原稿突きあて部１１２、基準白色板１１３を有する。
原稿突きあて部１１２は、原稿を載置する際に当該原稿の先端を突き当て、これにより副走査方向における原稿先端の位置決めを行う。基準白色板１１３は、その裏面はスキャナユニット１０１が原稿読み取りを行う際の基準白色を調整に用いられ、その表面はサイズ指標板になっている。なお、プラテンガラス１０３に対向する圧板１０９の面（裏面）は白色に形成されているものとして説明を進める。
【００１５】
図１（ｂ）に示す圧板開閉センサ１１０は、圧板１０９を開閉する動作において開閉角度が２５［°］になったことを検知するためのセンサ（第１のセンサ）である。また、圧板開閉センサ１１１は、圧板１０９の開閉角度が５［°］になったことを検知するためのセンサ（第２のセンサ）である。このように、圧板開閉センサ１１０、圧板開閉センサ１１１は、開閉検知手段として機能する。以下、これら各検知センサについて図２、図３を用いて詳細に説明する。
【００１６】
図２は、圧板開閉センサ１１０、１１１を説明するための図である。図２（ａ）は、原稿読取装置１００の外観を示す図であり、図２（ｂ）、（ｃ）、（ｄ）は、圧板開閉センサ１１０、１１１の拡大図である。
圧板開閉センサ１１０、１１１は、図２（ａ）に示す装置外観図における円で囲まれた部分の内部に配備されており、圧板１０９に接合されているフラグ７０１を介して当該圧板１０９の開閉の検知を行う。圧板開閉センサ１１０、１１１は、それぞれフォトインタラプタとして構成されており、フラグ７０１によりフォトインタラプタが遮られた場合にＯＮ、それ以外の場合にはＯＦＦを出力するように構成される（図２（ｂ））。フラグ７０１は、圧板１０９の閉じ動作における開閉角度（閉じ角度）が２５［°］以下となったときに圧板開閉センサ１１０のフォトインタラプタを遮るように構成される（図２（ｃ））。また、フラグ７０１は、閉じ角度が５［°］以下となったときに圧板開閉センサ１１１のフォトインタラプタを遮るように構成される（図２（ｄ））。これにより、圧板開閉センサ１１０、１１１による検知結果に基づき圧板１０９の開閉状態を検知することができる。
【００１７】
図３は、圧板開閉センサ１１０、１１１による検知結果と圧板１０９の開閉状態との関係を示す表である。図３に示すように、圧板１０９の開閉角度θがθ＞２５［°］の場合、圧板開閉センサ１１０は「ＯＦＦ」、圧板開閉センサ１１１は「ＯＦＦ」になり、圧板１０９の状態は「開」状態であると判別される。また、圧板１０９の開閉角度θが５＜θ＜２５［°］の場合、圧板開閉センサ１１０は「ＯＮ」、圧板開閉センサ１１１は「ＯＦＦ」になり、圧板１０９の状態は「閉じかけ」状態であると判別される。また、圧板１０９の開閉角度θが０≦θ≦５［°］の場合、圧板開閉センサ１１０は「ＯＮ」、圧板開閉センサ１１１は「ＯＮ」になり、圧板１０９の状態は「閉」状態であると判別される。
【００１８】
図４は、画像読取装置１００を制御するスキャナコントローラの機能ブロック図である。
スキャナコントローラ２００は、ＣＰＵ（Central Processing Unit）２０１、ＲＡＭ（Random Access Memory）２０２、ＲＯＭ（Read only memory）２０３、駆動制御部２０４、アナログ信号処理部２０５、画像処理部２０６を含んで構成される。スキャナコントローラ２００は、また、コントローラ部２０００を有する。コントローラ部２０００は、ＣＰＵ２００１、操作表示部２００２、画像処理部２００３、画像メモリ２００４を含んで構成される。
【００１９】
ＣＰＵ２０１は、ＲＯＭ２０３に格納された各種制御プログラムなどを読み込んで実行することにより画像読取装置１００の動作を制御する。ＲＡＭ２０２は、ＣＰＵ２０１のワークエリアとして使用される。駆動制御部２０４は、ＣＰＵ２０１からの指示に基づき図示しない駆動機構を駆動させ、スキャナユニット１０１を所定の位置に移動させる。
例えば、原稿を読み取る場合、ＣＰＵ２０１は初めに駆動制御部２０４を介して基準白色板１１３の位置にスキャナユニット１０１を移動させる。その後、ランプ１０２を点灯させ、スキャナユニット１０１に基準白色板１１３を読み取らせて既知のシェーディング補正処理を実行する。シェーディング補正を実施した後、ランプ１０２が点灯した状態でスキャナユニット１０１を副走査方向に走査し、原稿突きあて部１１２を原稿先端の基準位置とし、照射された光の反射光を受光するラインセンサ１０７を介して原稿を読み取る。
【００２０】
読み取られたアナログ画像信号はアナログ信号処理部２０５を介してディジタル画像信号に変換される。ディジタル画像信号は、画像処理部２０６を介してコントローラ部２０００に出力される。コントローラ部２０００に出力されたディジタル画像信号は、さらにコントローラ内部の画像処理部２００３を介して画像処理が施され、読取画像データとして画像メモリ２００４に記憶される。
このように、スキャナコントローラ２００は、スキャナユニット１０１を副走査方向に走査してプラテンガラス１０３上に載置された原稿を読み取り、読み取られた画像信号を出力するように制御する。
【００２１】
ここで、プラテンガラス１０３上に原稿が載置されていない場合、つまり「原稿なし」の場合、圧板１０９が開かれている時にはスキャナユニット１０１から照射される光を反射するものがない。この場合、ラインセンサ１０７に反射光が入力されないため、出力画像信号は「黒」になる。一方、圧板１０９が閉じられている時には、スキャナユニット１０１から照射される光が圧板１０９の裏面で反射される。この場合、ラインセンサに反射光が入力されるため、出力される画像信号は「白」になる。このように、プラテンガラス１０３上の「原稿なし」部分においては、圧板１０９を開いた時と閉じた時それぞれにおいて出力される画像信号に差分が生じる。
一方、プラテンガラス１０３上に原稿が載置された状態では、圧板１０９の開閉状態に関わらず、スキャナユニット１０１からの光の反射光に変化がなく、出力される画像信号にも差分は生じない。以下、原稿サイズを検知する際の動作について説明する。
【００２２】
［原稿サイズ検知動作］
原稿サイズの検知は、スキャナユニット１０１を所定のサイズ検知位置に移動し、プラテンガラス１０３上を読み取ることにより実現される。
前述した図１（ｃ）では、スキャナユニット１０１がサイズ検知位置に移動した状態を示している。圧板１０９が２５［°］より大きい角度で開かれた場合、図３で示したように、圧板開閉センサ１１０が「ＯＦＦ」、圧板開閉センサ１１１が「ＯＦＦ」となり、圧板１０９は「開」状態になる。圧板１０９の状態が「開」状態に遷移したことを契機に、スキャナユニット１０１をサイズ検知位置に移動させ、その位置で待機させる。
【００２３】
その後、ユーザにより圧板１０９を閉じる動作が開始され、圧板１０９の開閉角度が２５［°］より小さい角度になった場合、図３で示したように、圧板開閉センサ１１０が「ＯＮ」、圧板開閉センサ１１１が「ＯＦＦ」となり、圧板１０９は「閉じかけ」状態になる。
さらに閉じ動作が進み、圧板１０９の開閉角度が５［°］より小さい角度になった場合、圧板開閉センサ１１０、１１１ともに「ＯＮ」となる。このタイミングでサイズ検知位置においてランプ１０２から光を照射し、ラインセンサ１０７からの画像出力および反射型センサ１０８からの出力をサンプリングする。
【００２４】
主走査方向におけるラインセンサ１０７による検知では、前述のように、原稿が存在する部分は圧板１０９の開閉状態に関わらず照射された光が反射する。そのため、圧板１０９の開閉角度によらず原稿色に応じてほぼ一定となる。例えば、白い原稿がセットされていれば開閉角度によらず「白」、黒い原稿がセットされていれば「黒」となる。
一方、圧板１０９の裏面は白色であるため、原稿が存在しない部分は圧板１０９の閉じ動作に伴い、ラインセンサ１０７の画像出力は反射物のない状態の「黒」から圧板１０９の裏面を読み取った「白」へと変化する。つまり、画像出力の変化に基づき原稿が存在する部分とそうでない部分を判別することができる。これにより、プラテンガラス１０３上に載置された原稿の主走査方向のサイズ（主走査サイズ）を特定することができる。
なお、副走査方向における反射型センサ１０８の場合も同様に、原稿が存在する場合には圧板１０９の開閉動作に伴う信号値の変化はなく、原稿が存在しない場合には圧板１０９の閉じ動作に従って信号値が変化する。これにより、プラテンガラス１０３上に載置された原稿の副走査方向のサイズ（副走査サイズ）を特定することができる。
【００２５】
図５は、原稿サイズを判定するための検知ポイントを説明するための図である。
図５に示す場合では、サイズ検知位置を原稿突きあて位置１１２から副走査方向に２０［ｍｍ］右側に進んだ位置に設定している。また、サイズ検知位置において主走査方向に６通りの原稿サイズの切り分けを行うために、図中に示す６つの検知ポイント３０１〜３０６を設けている。
主走査方向におけるランプ１０２点灯後の１回目のサンプリング（初期サンプリング）の値のうち、検知ポイント３０１〜３０６に相当する６点の値を画像処理部２０６を介して抽出する。この抽出結果を検知データ初期値Ｈ０［ｎ］（ｎ＝１〜６）とする。また、２回目以降のサンプリングにおける検知結果は、例えば２回目であればＨ１［ｎ］
（ｎ＝１〜６）となり、毎回上書きされＲＡＭ２０２に記憶される。
なお、図５（ｂ）は、検知ポイント３０１〜３０６それぞれにおける検知結果から特定される定型原稿サイズ候補の一例を示す表である。
【００２６】
副走査方向においては、例えば原稿突きあて位置１１２から副走査方向に２３９．５［ｍｍ］右側に進んだ位置に配備された反射型センサ１０８の出力結果に基づき原稿サイズを判定する。初期サンプリングの結果はＶ０、これ以降に行うサンプリングの結果はＶ１としてそれぞれＲＡＭ２０２に記憶される。以下、サイズ検知動作の処理手順について説明する。
【００２７】
通常、ユーザが原稿読取装置１００を使用して原稿を読み取る場合、圧板１０９を開き、プラテンガラス１０３上に原稿を載置し、圧板１０９を閉じるという動作を行う。この動作により、開動作により圧板１０９の開閉角度は２５［°］以上となり、圧板開閉センサ１１０、１１１ともに「ＯＦＦ」、つまり「開」状態になる。その後、ユーザが原稿を載置し、閉じ動作を行うことにより圧板１０９の開閉角度が２５°以下になり、そのタイミングで圧板開閉センサ１１０が「ＯＮ」、圧板開閉センサ１１１が「ＯＦＦ」、つまり「閉じかけ」状態となる。さらに閉じ動作が進むと、開閉角度が５［°］以下になり、そのタイミングで圧板開閉センサ１１０、１１１ともに「ＯＮ」、つまり「閉」状態となる。
これら各状態の変化をトリガとしてサイズ検知動作の制御が行われる。
【００２８】
図６は、圧板１０９の状態変化をトリガとするサイズ検知準備動作（以下、準備動作と称す）の処理手順の一例を示すフローチャートである。図７は、圧板１０９の状態変化をトリガとするサイズ検知動作の処理手順の一例を示すフローチャートである。なお、図６、図７に示す各処理は、主としてＣＰＵ２０１により実行される。
【００２９】
図６に示す準備動作において、ＣＰＵ２０１は、圧板１０９が「開」状態へ移行したことを契機に（Ｓ４００：Ｙｅｓ）、図示しない駆動機構を介してスキャナユニット１０１をサイズ検知位置へ移動する（Ｓ４０１）。ＣＰＵ２０１は、スキャナユニット１０１の移動中の間に、ラインセンサ１０７の動作モードをカラーモードに切り替える（Ｓ４０２）。その後、ＣＰＵ２０１は、ラインセンサ１０７への給電を開始（ＯＮ）し、反射型センサ１０８の発光部ＯＮを実行する（Ｓ４０３）。このように、圧板１０９が「閉じかけ」状態に移行した場合にすぐに初期サンプリングを実行することができるように準備する。
【００３０】
ここで、ラインセンサ１０７の駆動開始について説明する。原稿読取装置１００が待機状態であれば、ラインセンサ１０７、アナログ信号処理部２０５への給電は停止している。従って、サンプリングを実行する場合、初めにラインセンサ１０７、アナログ信号処理部２０５に電源を供給する。その後、動作のための各種設定を行ってからクロックを供給して動作開始させることになる。ラインセンサ１０７に対する各種設定は、シリアル通信を介して行われるため、通常のレジスタ設定よりも時間を要してしまう。また、ラインセンサ１０７およびアナログ信号処理部２０５はアナログ回路であるため、電源供給時、クロック供給時それぞれにおいて出力信号が安定するまでの待ち時間が必要になる。これらの通信時間、待ち時間を合わせて、駆動開始（給電の開始）から実際にサンプリングを行える状態になるまでには約５０［ｍｓｅｃ］の時間が必要となる。
【００３１】
ＣＰＵ２０１は、スキャナユニット１０１のサイズ検知位置への移動、及び上記設定等が終了したか否かを判別する（Ｓ４０４）。終了したと判別した場合（Ｓ４０４：Ｙｅｓ）、ＣＰＵ２０１は、圧板１０９の状態が「閉じかけ」状態となるまで、つまり第１のセンサである圧板開閉センサ１１０がＯＮするまで待機する（Ｓ４０５）。圧板が「閉じかけ」状態へ移行した場合（Ｓ４０５：Ｙｅｓ）、図７に示すサイズ検知動作の処理へ進む。
【００３２】
ＣＰＵ２０１は、「閉じかけ」状態となるまでの待機状態（閉じかけ待ち状態）において並行してジョブスタート指示も監視している。具体的には、ＣＰＵ２０１は、圧板１０９が開いたままの状態、つまり圧板開閉センサ１１０がＯＦＦにもかかわらずジョブが開始されたか否かを判別する（Ｓ４０６）。開始された場合（Ｓ４０６：Ｙｅｓ）、ＣＰＵ２０１は、速やかに準備動作を終了する。また、そうでない場合（Ｓ４０６：Ｎｏ）、ＣＰＵ２０１は、圧板１０９が開かれてから、つまり圧板開閉センサ１１０がＯＦＦになってから閉じかけ待ち状態のままで所定の時間（例えば、１分）が経過したか否かを判別する（Ｓ４０７）。なお、所定の時間が経過したか否かは、図示しないタイマを用いて判別される。
【００３３】
ＣＰＵ２０１は、閉じかけ待ち状態のままで所定の時間が経過した場合（Ｓ４０７：Ｙｅｓ）、つまり所定の時間以上、「開」状態が維持された場合、ラインセンサ１０７をＯＦＦする（Ｓ４０８）。その後、再び圧板１０９が「閉じかけ」状態になったか否かを判別する（Ｓ４０９）。「閉じかけ」状態でない場合（Ｓ４０９：Ｎｏ）、ＣＰＵ２０１は、反射型センサ１０８の発光部はＯＦＦせず、閉じかけ待ち状態を維持しつつ反射型センサ１０８からの出力を受け付ける（Ｓ４１２）。ＣＰＵ２０１は、反射型センサ１０８からの出力値が変化したか否かを判別する（Ｓ４１３）。
また、そうでない場合（Ｓ４０９：Ｙｅｓ）、ＣＰＵ２０１は、ラインセンサ１０７を再びＯＮし（Ｓ４１０）、図７に示すサイズ検知動作の処理へ進む。
【００３４】
ここで、反射型センサ１０８からの出力値の変化は、圧板１０９が「開」状態であることから、ユーザがプラテンガラス１０３上に原稿を載置するなど何らかの操作を行った可能性がある。そのため、ＣＰＵ２０１は、反射型センサ１０８からの出力値が変化した場合（Ｓ４１３：Ｙｅｓ）、再びラインセンサ１０７をＯＮし（Ｓ４１５）、ステップＳ４０５の処理へ戻る。また、そうでない場合（Ｓ４１３：Ｎｏ）、ＣＰＵ２０１は、圧板１０９が開いたままの状態、つまり圧板開閉センサ１１０がＯＦＦにもかかわらずジョブスタートの指示を受け付けたか否かを判別する（Ｓ４１４）。受け付けた場合（Ｓ４０６：Ｙｅｓ）、ＣＰＵ２０１は、速やかに準備動作を終了する。また、そうでない場合（Ｓ４１４：Ｎｏ）、ステップＳ４０９の処理へ戻る。
【００３５】
図７に示すサイズ検知動作において、ＣＰＵ２０１は、圧板１０９が「閉じかけ」状態へ移行したことを契機に、反射型センサ１０８の初期値をサンプリングする。また、ＣＰＵ２０１は、ランプ１０２がＯＦＦの状態でラインセンサ１０７からの画像出力をサンプリングする。このようにして、ＣＰＵ２０１は、装置外部から入射する外光を検知する（Ｓ５０２）。
【００３６】
ここで、図８を用いて外光検知について説明する。ランプ１０２がＯＦＦの状態でラインセンサ１０７からの画像出力をサンプリングした場合、通常であれば全面「黒」と判定される。しかしながら、図８に示すように、プラテンガラス１０３上に外部から光が射し込んでいる場合、プラテンガラス１０３上の手前側が「白」であると判定されることがある。例えば、図８（ａ）に示すように、圧板１０９が「閉じかけ」状態であって、原稿が載置されていない状態であっても、プラテンガラス１０３上のＤの位置までが「白」と判定される。そのため、プラテンガラス１０３上に外光が入射している場合には、誤判定を引き起こす原因になる。また、図８（ｂ）に示すように、プラテンガラス１０３上の全面、つまり主走査方向の全領域にわたって外光が入射している場合もあり得る。
【００３７】
図７の説明に戻り、ＣＰＵ２０１は、主走査方向の全領域にわたって外光が入射しているか否かを判別する（Ｓ５０３）。外光が入射していると判別した場合（Ｓ５０３：Ｙｅｓ、図８（ｂ））、ＣＰＵ２０１は、プラテンガラス１０３上に原稿が載置されていないことから、原稿サイズを「サイズ不定」に設定する（Ｓ５０４）。その後、ＣＰＵ２０１は、ラインセンサ１０７および反射型センサ１０８それぞれをＯＦＦし（Ｓ５０５）、サイズ検知動作を終了する。
また、そうでない場合（Ｓ５０３：Ｎｏ）、ＣＰＵ２０１は、図８（ａ）に示す状態、つまりプラテンガラス１０３上の一部の領域に外光が入射しているか否かを判別する（Ｓ５０７）。一部の領域に外光が入射していると判別した場合（Ｓ５０７：Ｙｅｓ）、原稿サイズを外光が検知された境界までの領域を「原稿なし」、この領域以外のその他の領域を「原稿あり」とするサイズに設定する（Ｓ５０８）。
【００３８】
また、そうでない場合（Ｓ５０７：Ｎｏ）、ランプ１０２を点灯し（Ｓ５０９）、主走査方向、副走査方向における初期サンプリングを実行する（Ｓ５１０）。なお、主走査方向の６つの検知ポイント３０１〜３０６におけるサンプリングの結果はそれぞれＨ０［ｉ］（ｉ=１~６）に格納される。また、副走査方向におけるサンプリングの結果はＶ０に格納される。
【００３９】
ＣＰＵ２０１は、圧板１０９が「閉」状態に移行したか否かを判別する（Ｓ５１１）。「閉」状態に移行しない場合（Ｓ５１１：Ｎｏ）、ＣＰＵ２０１は、図示しないタイマを用いて一定時間（例えば、５秒）が経過したか否かを判別する（Ｓ５１２）。タイムアウトした場合（Ｓ５１２：Ｙｅｓ）、ＣＰＵ２０１は、サイズ検知を行うことなく、ランプ１０２、ラインセンサ１０７、反射型センサ１０８それぞれをＯＦＦしてサイズ検知動作を終了する。この処理は、例えば厚い本などを挟むことで圧板１０９が閉じ切らないままの状態を想定した処理である。
【００４０】
圧板１０９が「閉」状態に移行した場合（Ｓ５１１：Ｙｅｓ）、ＣＰＵ２０１は、主走査方向及び副走査方向それぞれにおけるサンプリングを実行する（Ｓ５１３）。なお、主走査方向のサンプリング結果はＨ１［ｉ］に格納され、副走査方向のサンプリング結果はＶ１に格納される。
【００４１】
その後、ＣＰＵ２０１は、後述するサンプリング終了条件（ステップＳ５１４〜Ｓ５１６の各処理）を満たさない場合、５０［ｍｓｅｃ］の時間待機し（Ｓ５２０）、ステップＳ５１３の処理へ戻る。以下、サンプリング終了条件について説明する。
【００４２】
ＣＰＵ２０１は、圧板１０９が「閉」状態となってから所定時間（例えば、２秒）が経過したか否かを判別する（Ｓ５１４）。所定時間が経過した場合（Ｓ５１４：Ｙｅｓ）、これまでに取得したデータに基づき原稿サイズを確定し、その結果を原稿サイズとして設定する（Ｓ５１７）。その後、ランプ１０２、ラインセンサ１０７、反射型センサ１０８それぞれをＯＦＦしてサイズ検知動作を終了する。
【００４３】
ＣＰＵ２０１は、所定時間が経過していない場合（Ｓ５１４：Ｎｏ）、ジョブスタート指示を受け付けたか否かを判別する（Ｓ５１５）。ジョブスタート指示を受け付けた場合（Ｓ５１５：Ｙｅｓ）、ステップＳ５１７の処理へ進む。また、そうでない場合（Ｓ５１５：Ｎｏ）、ＣＰＵ２０１は、圧板１０９が「閉」状態から再び「閉じかけ」状態、あるいは「開」状態に移行したか否かを判別する（Ｓ５１６）。移行しなかった場合（Ｓ５１６：Ｎｏ）、ステップＳ５２０の処理へ進む。また、そうでない場合（Ｓ５１６：Ｙｅｓ）、ＣＰＵ２０１は、原稿サイズを「サイズ不定」に設定する（Ｓ５１８）。この処理は、一旦圧板１０９が閉じられ、その後再び圧板１０９が開けられた事により原稿の位置やその状態が変化している可能性を想定した処理である。その後、ランプ１０２、ラインセンサ１０７、反射型センサ１０８それぞれをＯＦＦしてサイズ検知動作を終了する。
【００４４】
このように、本実施形態の原稿読取装置１００では、圧板１０９の開状態を検出してラインセンサ１０７をＯＮ（給電開始）し、開状態のまま所定の時間が経過した場合、ラインセンサ１０７をＯＦＦ（給電停止）する。また、ラインセンサ１０７をＯＦＦした後、反射型センサ１０８からの出力に変化が生じた場合、ラインセンサ１０７を再びＯＮする。
これにより、ラインセンサ１０７が通電状態で放置されることに起因する電力及び耐用寿命の無駄な消費を抑制することができる。また、ラインセンサ１０７の出力信号が安定するまでの待ち時間による初期サンプリングの開始遅れ、誤検知の発生が抑制されることにより、原稿サイズの検知精度を向上させることができる。
【００４５】
上記説明した実施形態は、本発明をより具体的に説明するためのものであり、本発明の範囲が、これらの例に限定されるものではない。
【符号の説明】
【００４６】
１００…原稿読取装置、１０１・・・スキャナユニット、１０２・・・ランプ、１０３・・・プラテンガラス、１０４、１０５・・・ミラー、１０６・・・レンズ、１０７・・・ラインセンサ、１０８・・・反射型センサ、１０９・・・圧板、１１０、１１１・・・圧板開閉センサ、１１２・・・原稿突きあて部、１１３・・・基準白色板（サイズ指標）、２００・・・スキャナコントローラ、２０１・・・ＣＰＵ、２０２・・・ＲＡＭ、２０３・・・ＲＯＭ、２０４・・・駆動部、２０５・・・アナログ信号処理部、２０６・・・画像処理部。
【図３】
2016019262.tif 000003
【図４】
2016019262.tif 000004
【図５】
2016019262.tif 000005
【図６】
2016019262.tif 000006
【図７】
2016019262.tif 000007
【図１】
2016019262.tif 000008
【図２】
2016019262.tif 000009
【図８】
2016019262.tif 000010
【図９】
2016019262.tif 000011